(57)【要約】【課題】低速走行時には、差動制限の効果が小さく、エンジン出力の増加にあわせて差動制限の効果が急に高まる性能を有するリミテッドスリップディファレンシャル装置を提供することを課題とする。【解決手段】リミテッドスリップディファレンシャル装置は、ピニオンシャフトがプレッシャーリングのカム穴を押し広げようとすることで差動制限の効果を発生し、その特性はカム穴のカム角によって決まる。本発明では、ピニオンシャフトの回転方向と反対の方向の力を有するバネまたはスプリングを利用し、プレッシャーリングのカム穴のカム角可変機構を実現する。ピニオンシャフトの回転力よりバネまたはスプリングの力が強ければ、カム角は小さく、効果は小さく、ピニオンシャフトの回転力がバネまたはスプリングの力より強くなれば、カム角は大きくなる。【選択図】図５
2014001841.tif 000002
【特許請求の範囲】
【請求項１】
エンジンの駆動力が伝達されて回転するディファレンシャルケース内に、Ｉ字または十字のピニオンシャフトに取り付けられたピニオンギヤと車軸につながるサイドギヤが噛み合って一対のプレッシャーリングの間に挟まれており、プレッシャーリングとディファレンシャルケースとの間に複数のプレッシャープレートを有し、プレッシャーリングに加わる回転方向の駆動力によってピニオンシャフトがプレッシャーリングを押し広げる構造のリミテッドスリップディファレンシャル装置において、
ピニオンシャフトがプレッシャーリングを押し広げるカム穴のカム角がプレッシャーリングに加わる駆動力の大きさによって変化することを特徴とするリミテッドスリップディファレンシャル装置。
【請求項２】
前記カム角の可変機構に、板ばねを使用することを特徴とする請求項１記載のリミテッドスリップディファレンシャル装置。
【請求項３】
前記カム角の可変機構に、スプリングで動作する可変カム穴を使用することを特徴とする請求項１又は２記載のリミテッドスリップディファレンシャル装置。
【発明の詳細な説明】
【技術分野】
【０００１】本発明は、単一の動力を２つの駆動輪に分配する差動機構を制限するリミテッドスリップディファレンシャル装置に関する。
【背景技術】
【０００２】現在の自動車の多くは、単一のエンジンが発生する駆動力を前または後の２つのタイヤに分配している。自動車が直線を走行する際は、左右のタイヤに均等の駆動力を分配すればよい。しかし、自動車がカーブを曲がる際、内側のタイヤが描く円と外側のタイヤが描く円の大きさが異なるため、エンジンの駆動力を左右のタイヤに対して均等の駆動力を分配すると、スムーズに曲がることができない。【０００３】通常では内側のタイヤと外側のタイヤを異なる速度で回転（差動）させるための差動ギヤを原理とするディファレンシャル装置を有している。前輪駆動車では前輪軸上に、後輪駆動車では後輪軸上に、ディファレンシャル装置が存在する。４輪駆動車では、前後にディファレンシャル装置を具備するのはもちろん、前後の回転差を吸収するセンターディファレンシャル装置を具備することもある。【０００４】自動車のカーブ走行をスムーズにするディファレンシャル装置には、２つの問題点がある。駆動軸の片方のタイヤが溝に落ちたり、氷に乗り上げたりして無負荷状態あるいは無負荷に近い状態になった場合、ディファレンシャル装置は、負荷の小さい側のタイヤにエンジンの駆動力をより多く伝達するため、もう一方の地面に接地しているタイヤには駆動力を伝えられない。つまり、ディファレンシャル装置があることにより、脱輪、氷上、ぬかるみによって、一方のタイヤが空回りすると、自動車は前進することができなくなる。これが一つ目の問題である。【０００５】もう一つの問題は、ディファレンシャル装置を具備するスポーツカーやモータースポーツ用の車がカーブを旋回する際の問題である。スポーツカーやモータースポーツ用の車が、速度の高い状態でカーブを旋回する際、遠心力によって車体が外側に傾き、内側のタイヤが浮き気味となって、接地荷重（抵抗）が減少する。この内側のタイヤの状態は、先の脱輪状態と同様な状態であり、ディファレンシャル装置によってエンジンの駆動力が多く伝達されるため、本来内側のタイヤより多くの駆動力を伝えるべき外側のタイヤには十分な駆動力を与えられないことになる。つまり、ディファレンシャル装置があることにより、スポーツカーやモータースポーツ用の車は、コーナリング中に一時的な推進力を失ってしまうことになる。これが二つ目の問題である。【０００６】上記の二つの問題を解決するため、ディファレンシャル装置の差動機能を制限する機構を組み込んだリミテッドスリップディファレンシャル装置（以下、「ＬＳＤ」と呼ぶ）が知られている。様々な原理のＬＳＤが存在しているが、ここでは、従来技術として一般的な機械式と呼ばれるＬＳＤについて、図１と図２にて原理と効果を説明する。【０００７】図１は、左後輪のみが滑りやすい路面にのって、発進しようとしているＬＳＤ付の後輪駆動車を描いてある。エンジンの駆動力は、プロペラシャフトによって、ＬＳＤに伝えられる。プロペラシャフトにつけられたファイナルピニオンギヤは、ＬＳＤのディファレンシャルケースにつけられたリングギヤと噛み合い、ＬＳＤ本体を回転させる。【０００８】通常のディファレンシャル装置では、左後輪のみが回転するため、車は発進できない。しかし、ＬＳＤの場合、サイドシャフトに固定されているプレッシャープレートとディファレンシャルケースに固定されているプレッシャープレートがギヤオイルを介して面接触による摩擦力を発生しており、左後輪を駆動するサイドシャフトの動作を制限する。この摩擦力をイニシャルトルクと呼ぶ。イニシャルトルクは、上記二種類のプレッシャープレートをコーンプレート（サラバネ）やスプリングによってあらかじめ圧着させて得られる摩擦力で発生させる。以上の原理により、ＬＳＤ付の自動車では後輪が滑りやすい路面に乗っても、ディファレンシャル装置の差動機能が制限されているため、ゆっくり発進することができる。これがＬＳＤによる一つ目の問題の解決である。【０００９】図２は、右方向に高速で旋回しようとしているＬＳＤ付の後輪駆動のスポーツカーまたはモータースポーツ用の車を描いてある。速度が高いほど、または旋回の回転半径が小さいほど、自動車全体には、円の中心から外側に向かう遠心力が働き、駆動輪である右後輪が浮き気味となり、右後輪の空回りによりエンジンの駆動力が逃げてしまう。ＬＳＤには、上述のイニシャルトルクがあるが、高速旋回中はエンジンからの駆動力はイニシャルトルク以上であり、右後輪の空回りを抑えきれない。【００１０】しかしながら、ＬＳＤは、ＬＳＤに加えられるエンジンの駆動力に比例して、ディファレンシャル装置の差動機能を制限することができる。ＬＳＤのプレッシャーリングにはカム穴が設けられており、エンジンから伝わる駆動力により、プレッシャーリングのカム穴をピニオンシャフトが押し広げようとする。カム穴が押し広げられると、プレッシャーリングとディファレンシャルケースの間にある、二種類のプレッシャープレート間の摩擦力を増加することができる。つまり、ＬＳＤは、ＬＳＤに加えられるエンジンの駆動力の増加に比例して、二種類のプレッシャープレート間の摩擦力を増加させることにより、ディファレンシャル装置の差動機能を制限している。【００１１】以上の原理により、ＬＳＤ付の自動車では、エンジンの駆動力が高い状態を維持しながら高速でカーブを旋回しようとするとき、失速することなく通過することができる。これがＬＳＤによる二つ目の問題の解決である。
【発明が解決しようとする課題】
【００１２】図３に、ＬＳＤのカム穴構造を示す。ダイヤ型のカム穴に、丸の断面を有するピニオンシャフトが挟み込まれている。エンジンのスロットルを開けて加速するときと、エンジンブレーキをかけるときでは、ピニオンシャフトがプレッシャーリングに加える力の方向が１８０度異なる。つまり、一般的なＬＳＤでは、加速時もエンジンブレーキ時にも差動機能を制限することになる。
【００１３】カーブに進入する自動車は、フットブレーキとエンジンブレーキを使用する。このときＬＳＤは差動ギヤの動作を制限し、左右のタイヤの回転数を合わせようとするため、曲がりにくくなる欠点がでてしまう。このため、エンジンのスロットルを開けて加速するときのカム角と、エンジンブレーキ時のカム角の角度を変える方法が提案されている（特許公開２００７−３１５５５５）。カム角が広いほど、ピニオンシャフトはプレッシャーリングを押し広げやすく、ＬＳＤの効きが良くなる。加速側とエンジンブレーキ側のカム角が同じＬＳＤを２Ｗａｙ、加速側に比べてエンジンブレーキ側のカム角が狭いＬＳＤを１．５Ｗａｙ、エンジンブレーキ側のカム角をゼロにし、加速時のみＬＳＤ機能が動作するＬＳＤを１Ｗａｙと呼ぶ。
【００１４】図４に、ＬＳＤの特性を示す。横軸はＬＳＤに加えられるエンジン出力による駆動トルク、縦軸は、ＬＳＤの効きである、差動機能の制限率（ロック率）である。縦軸の１００％とは、ディファレンシャル装置のない状態、つまりデフロック状態である。低速走行時にＬＳＤが効きすぎると、交差点等の旋回など日常走行において扱いにくくなる。最低限のイニシャルトルクを確保し、広いカム角を設け、駆動トルクの増加にあわせてＬＳＤの効きが高まることが理想となる。一方、大きなカム角では、日常走行で多用する低速走行時にもＬＳＤが効き始めてしまう。反対に、カム角を狭くすると、低速走行時のＬＳＤの効きは抑えられるが、高速走行時に十分なＬＳＤの効きが得られなくなる。
【００１５】低速走行時と高速走行時のＬＳＤ性能要求を満足するためには、図４の中に示した３７のような特性を満たす必要がある。しかしながら、この特性を有するＬＳＤは実現されていない。本発明では、本特性を実現するＬＳＤの構造と原理を示す。
【先行技術文献】
【００１６】
【特許文献】
【特許文献】特許公開２００７−３１５５５５
【課題を解決するための手段】
【００１８】ＬＳＤの効きである差動機能の制限率は、プレッシャーリングのカム角によって設定できることを既に述べた。図４の３７の特性を有するＬＳＤを実現するためには、低速時には、カム角が小さく、エンジン出力が大きくなるにしたがって、カム角が大きくなる構造を実現する必要がある。
【００１９】本発明では、ピニオンシャフトがカム穴を押し広げようとする方向と反対の方向の力を有するバネまたはスプリングを利用し、カム穴のカム角の可変機構を実現する。ピニオンシャフトの回転力より、バネまたはスプリングの力が強ければ、カム角は小さくなる。一方、エンジン出力に比例して、ピニオンシャフトの回転力が大きくなると、バネまたはスプリングの力を押し負かして、カム角を広げることができる。
【発明の効果】
【００２０】本発明のＬＳＤによれば、低速走行時にはＬＳＤのデメリットを全く感じることなく、エンジン出力が大きい高速走行時には、ＬＳＤの性能を十分に引き出すことができる。
【産業上の利用可能性】
【００２１】本発明は、単一の動力を２つの駆動輪に分配する差動機構を制限するリミテッドスリップディファレンシャル装置に関する。
【図面の簡単な説明】
【００２２】
【図１】従来のＬＳＤを備えた自動車の原理と効果を示す図である（滑りやすい路面）。
【図２】従来のＬＳＤを備えた自動車の原理と効果を示す図である（高速の旋回時）。
【図３】従来のＬＳＤのカム穴構造と動作を示す説明図である。
【図４】ＬＳＤの特性図を示す説明図である。
【図５】本発明による実施例１のＬＳＤを示す説明図である。
【図６】本発明による実施例２のＬＳＤを示す説明図である。
【符号の説明】
【００２３】１  後輪駆動の自動車
２  左前輪
３  右前輪
４  エンジン
５  プロペラシャフト
６  左サイドシャフト
７  右サイドシャフト
８  左後輪
９  右後輪
１０  リミテッドスリップディファレンシャル装置
１１  滑りやすい路面
１２  接地加重の減少した右後輪
１３  ファイナルピニオンギヤ
１４  プレッシャーリング
１５ａ  ディファレンシャルケースに固定されたプレッシャープレート
１５ｂ  サイドシャフトに固定されたプレッシャープレート
１６  コーンプレート（サラバネ）
１７  左サイドギヤ
１８  右サイドギヤ
１９  ピニオンシャフト
２０  ピニオンギヤ
２１  カム穴
２２  ディファレンシャルケース
２３  リングギヤ
２４  加速時のピニオンシャフトの動き
２５  減速時のピニオンシャフトの動き
２６  プレッシャープレートを押し付ける力
２７  加速側のカム角
２８  減速側のカム角
２９  １．５Ｗａｙ型カム穴
３０  １Ｗａｙ型カム穴
３１  差動機能の制限率（ロック率）
３２  駆動トルク
３３  低速走行時の領域（網線の領域）
３４  １００％
３５  デフロックの特性
３６  カム角大の特性
３７  カム角小の特性
３８  イニシャルトルク
３９  本発明の特性
４０  エンジン出力の小さい低速前進時の動作
４１  エンジン出力の大きい時の動作
４２  減速時の動作
４３  板バネ
４４  板バネの保持溝
４５  スプリング
４６  可変カム
【実施例１】
【００２４】本発明の実施例１を説明する。図５は、本発明による板バネを使ったカム穴の動作を示している。カム穴は、１Ｗａｙの場合を示している。加速側のカム角は大きくしており、その前に板バネを設置してある。加速時には、ピニオンシャフトが板バネを押し開くようになる。低速時には、板バネが少し開くため、カム角が小さい状態と等価となる。さらに、エンジン出力を上げて、ピニオンシャフトが板バネを押し開く力が板バネの力を超えた場合、板バネは本来のカム穴に押し付けられてしまうため、カム角は大きくなる。以上、本発明によれば、プレッシャーリングに板バネを追加するだけで、可変カム角を実現することができ、低速時にＬＳＤのデメリットがなく、高速のコーナリング性能を得ることのできるＬＳＤが実現できる。【００２５】実施例１のＬＳＤでは、板バネの強さによって、ＬＳＤの特性を調整できる。やわらかい板バネであれば、カム角が変化するポイントを低速側にすることができる。反対に、硬いバネであれば、カム角が変化するポイントを高速側にすることができる。【００２６】以上、１ＷａｙのＬＳＤの場合を例に本発明の実施例１を説明したが、１．５Ｗａｙまたは２ＷａｙのＬＳＤも実現することが可能である。
【実施例２】
【００２７】本発明の実施例２を説明する。図６は、本発明によるスプリングで動作する可変カム穴の動作を示している。可変カムはプレッシャーリングに固定された支点を中心に可動する構造であり、スプリングを備えている。カム穴は、１Ｗａｙの場合を示している。加速側のカム角は大きくしており、その前に可変カムを設置してある。加速時には、ピニオンシャフトが可変カムを押し開くようになる。低速時には、可変カムが少し開くため、カム角が小さい状態と等価となる。さらに、エンジン出力を上げて、ピニオンシャフトが可変カムのスプリングの力を超えた場合、可変カムは本来のカム穴に押し付けられてしまうため、カム角は大きくなる。以上、本発明によれば、可変カム角を実現することができ、低速時にＬＳＤのデメリットがなく、高速のコーナリング性能を得ることのできるＬＳＤが実現できる。【００２８】実施例２のＬＳＤでは、スプリングの強さによって、ＬＳＤの特性を調整できる。やわらかいスプリングであれば、可変カム角が変化するポイントを低速側にすることができる。反対に、硬いスプリングであれば、可変カム角が変化するポイントを高速側にすることができる。【００２９】以上、１ＷａｙのＬＳＤの場合を例に本発明の実施例２を説明したが、１．５Ｗａｙまたは２ＷａｙのＬＳＤも実現することが可能である。
【図１】
2014001841.tif 000003
【図２】
2014001841.tif 000004
【図３】
2014001841.tif 000005
【図４】
2014001841.tif 000006
【図５】
2014001841.tif 000007
【図６】
2014001841.tif 000008